(57)【特許請求の範囲】
【請求項１】
櫛状に露出した鉄筋群の先端に装着して使用する一対の案内部材を備えてなり、
前記案内部材は、壁梁の両側面に対して摺接する板状のガイド部と、前記ガイド部の裏面側に固定され、鉄筋群の先端に装着する装着部と、を有し、
前記ガイド部は、板状体を折り曲げて断面略への字状に形成し、
前記装着部は、断面逆Ｕ字状のレール材から形成され、前記ガイド部の裏面側に固定される固定面と、鉄筋群の先端に載せる載置面と、前記固定面と対向する対向面と、を有することを特徴とする壁梁落込治具。
【請求項２】
装着部の載置面は、鉄筋の直径よりも大きい幅を有することを特徴とする請求項１記載の壁梁落込治具。
【請求項３】
請求項１又は２のいずれか一項に記載の壁梁落込治具を用いて櫛状に露出した鉄筋群の間に壁梁を落し込む壁梁落込方法であって、
前記壁梁落込治具の案内部材同士を相対するように鉄筋群の先端に装着する壁梁落込治具設置工程と、揚重機で吊り上げた壁梁を前記壁梁落込治具によって鉄筋群の間に吊り下げて落し込む壁梁吊下工程と、を備え、
前記壁梁落込治具設置工程は、前記案内部材同士を内側方向に近づくように傾斜した状態で設置することを特徴とする壁梁落込方法。
【請求項４】
壁梁吊下工程は、壁梁の側面を案内部材のガイド部に摺接しながら、前記案内部材同士を離間するように移動させて壁梁を落込位置まで落し込むことを特徴とする請求項３記載の壁梁落込方法。
【発明の詳細な説明】
【技術分野】
【０００１】
本発明は、鉄筋コンクリート造の建造物の建設において、耐震性を向上させつつ室内空間を確保するために壁部分を構成する鉄筋群の間に壁梁を落し込む壁梁落込治具及びそれを用いた壁梁落込方法に関する。
【背景技術】
【０００２】
従来、壁梁の組付作業は、壁部分を構成する垂直方向に露出した複数本の鉄筋群の間に、籠状に形成された鉄筋からなる壁梁を揚重機で吊り上げた後、複数の作業者によって壁梁に対して鉄筋が絡み合わないようにそれぞれの鉄筋群の位置を調整しながら吊り下げ作業を行っていたため手間の掛かるものであった。
【０００３】
また、一般的な梁の組付作業において、梁と鉄筋群との絡み合いを防止するためのものが提案されており、例えば、特許文献１には、柱筋の先端に先細りのガイドキャップをかぶせることで、梁を上方から柱筋間の所定位置に挿入するものや、特許文献２には、梁の鉄筋籠を鉄筋群の上方からスライドさせるための鉄筋の先端に挿入する長筒状の案内部材が開示されている。
【先行技術文献】
【特許文献】
【０００４】
【特許文献１】特開平１−１４６０６５号公報
【特許文献２】実開平６−３２５９４号公報
【発明の概要】
【発明が解決しようとする課題】
【０００５】
しかしながら、近年の鉄筋コンクリート造の建造物の耐震性を向上するために、壁部分を構成する鉄筋群は、少なくとも２列の櫛状に複数本の鉄筋を露出させたものであり、より具体的には、一辺１０ｍ程度とする壁部分には１００本以上の鉄筋が垂直方向に配筋されている。そのため、この鉄筋群に対して、上述したガイドキャップや案内部材などは、壁梁の落込作業を行う前に各々の鉄筋の先端に装着させることや、壁梁の落込作業が完了した際の取り外しに手間の掛かるものであった。
【０００６】
上述した欠点に鑑み、本発明は、櫛状に露出した鉄筋群の間に壁梁の吊り下げて落し込む作業を円滑に行うことができるとともに、複数の露出した鉄筋の先端に同時に装着及び取り外しをすることでき、作業者の負担を減らして工期の短縮をすることが可能な壁梁落込治具及びそれを用いた壁梁落込方法を提供することを目的とする。
【課題を解決するための手段】
【０００７】
本発明は、上記課題に鑑み、櫛状に露出した鉄筋群の先端に装着して使用する一対の案内部材を備えてなり、
前記案内部材は、壁梁の両側面に対して摺接する板状のガイド部と、前記ガイド部の裏面側に固定され、鉄筋群の先端に装着する装着部と、を有し、
前記ガイド部は、板状体を折り曲げて断面略への字状に形成し、
前記装着部は、断面逆Ｕ字状のレール材から形成され、前記ガイド部の裏面側に固定される固定面と、鉄筋群の先端に載せる載置面と、前記固定面と対向する対向面と、を有することを特徴とするものである。
【０００８】
また、上述した構成に加え、装着部の載置面は、鉄筋の直径よりも大きい幅を有することが好ましい。
【０００９】
また、上述の壁梁落込治具を用いて櫛状に露出した鉄筋群の間に壁梁を落し込む壁梁落込方法であって、
前記壁梁落込治具の案内部材同士を相対するように鉄筋群の先端に装着する壁梁落込治具設置工程と、揚重機で吊り上げた壁梁を前記壁梁落込治具によって鉄筋群の間に吊り下げて落し込む壁梁吊下工程と、を備え、
前記壁梁落込治具設置工程は、前記案内部材同士を内側方向に近づくように傾斜した状態で設置することを特徴とするものである。
【００１０】
また、上述した構成に加え、壁梁吊下工程は、壁梁の側面を案内部材のガイド部に摺接しながら、前記案内部材をやや垂直方向に立ち上げながら離間するように水平移動させて壁梁を落込位置まで落し込むことが好ましい。
【発明の効果】
【００１１】
本発明によれば、壁梁の落し込み時に複数の作業者が鉄筋群の位置を調整しながら、櫛状に露出した鉄筋群の間に壁梁の落込作業を円滑に行うことができるとともに、複数の露出した複数の鉄筋の先端に同時に装着及び取り外しをすることでき、作業者の負担を減らして工期の短縮をすることが可能である。
【図面の簡単な説明】
【００１２】
【図１】本発明の実施形態に係る壁梁落込治具の一例を示す斜視図である。
【図２】図１の壁梁落込治具を鉄筋群の先端に装着した状態の側面図である。
【図３】壁梁落込治具によって鉄筋群の間に壁梁を吊り下げて落とし込む方法を示す側面からみた概念図である。
【発明を実施するための形態】
【００１３】
（実施形態）
本発明の壁梁落込治具１の実施形態の一例について図１−３に基づいて詳細に説明する。なお、本実施形態における鉄筋群３は、作業面４から垂直上方に向かって２列の櫛状に露出した壁立ち上がり鉄筋からなるものである。
【００１４】
壁梁落込治具１は、２列の櫛状に露出した鉄筋群３の先端に装着して使用する一対の案内部材１０、１０を備えてなり、案内部材１０、１０は、壁梁の両側面に対して摺接する板状のガイド部１１と、ガイド部１１の裏面側に固定され、鉄筋群３の先端に装着する装着部１２と、を有するものである。
【００１５】
ガイド部１１は、鉄筋群３の横幅方向と同程度の長さの幅広の板状体を折り曲げて断面略への字状に形成し、下方に下半面１１ａと、上方に上半面１１ｂと、を備えるものである。このガイド部１１の上半面１１ｂは、下半面１１ａに対して約３０度程度の鋭角で傾斜させることで、壁梁落込治具１を鉄筋群３の先端に装着した際に、上方に向かってガイド部１１間を拡開するものである。
【００１６】
また、このガイド部１１は、持ち運びやすさなどを鑑みて、全体の横幅Ｗを最大で約３．６ｍ程度、縦幅Ｌを２５ｃｍ程度とし、このガイド部１１の上半面１１ｂは板状体の全体の縦幅Ｌのうち３分の１程度とし、かつ、下半面１１ａは板状体の全体の縦幅Ｌの３分の２程度をすることが好適である。なお、このガイド部１１は、軽量であるとともに壁梁２に摺接しても破損せず繰り返し使用することが可能な耐久性を備えたものであればよく、アルミニウム合金などの金属材を主体として板状体が好適であり、また、ガイド部１１の形状は、一人の作業者が持ち運びできる程度の大きさと重量であればよく、鉄筋群３の幅に応じて所望のサイズに短くするように変更することも可能である。
【００１７】
装着部１２は、金属材を主体とするレール材から形成されものであり、ガイド部１１の裏面側に固定される固定面１２ａと、この固定面１２ａの上端から水平方向に形成された鉄筋群３の先端に載せる載置面１２ｂと、載置面１２ｂの端部から下方に垂設して固定面１２ａと対向する対向面１２ｃと、を有する断面逆Ｕ字状に形成されたものである。
【００１８】
装着部１２の固定面１２ａは、ガイド部１１の折曲位置近傍の下半面１１ａの裏面側にリベットやビスで固定されたものであり、対向面１２ｃは、少なくとも鉄筋群３の先端付近の側面に当接することで案内部材１０、１０の脱落を防止するものであればよく、後述する壁梁落込治具設置工程（Ｓ２）において、案内部材１０、１０が内側方向に傾斜した状態において落下を防止するものである。
【００１９】
また、この装着部１２の載置面１２ｂは、壁梁２の落し込み途中で鉄筋群３の先端に対して摺接して、鉄筋群３の動きを抑制しながら案内部材１０、１０同士を離間する方向に移動しうるようにするため、少なくとも鉄筋の直径よりも大きい幅であり、より具体的には、鉄筋の直径の約３倍程度の幅とすることが好適である。
【００２０】
次に、本実施形態の壁梁落込治具１を用いた壁梁落込方法について図２、３に基づいて詳細に説明する。
【００２１】
壁梁落込方法は、壁梁落込治具設置工程（Ｓ１）と、壁梁吊下工程（Ｓ２）と、を主要工程とするものである。なお、鉄筋群３の間に落し込まれる壁梁２は、建設現場の作業面において、所定の組立治具を用いて平行に配置された複数の主筋２ａ、２ａに対してフープ筋２ｂ、２ｂを組み付けることで籠状に組み立てたものである。
【００２２】
壁梁落込治具設置工程（Ｓ１）は、壁梁落込治具１を相対して上方に向かって拡開するように装着部１２を鉄筋群３の先端に装着する。このとき、壁梁落込治具１の装着部１２の対向面１２ｃに当接するように係合させるとともに、壁梁落込治具１の案内部材１０、１０同士（特に、ガイド部１１の上半面１１ｂ同士）が近づくやや傾斜した状態で設置する。これによって、鉄筋群３の周囲に壁梁落込治具１が突出せずに、作業場所を狭めることなく周囲の作業者に接触しないようにすることが可能である。
【００２３】
壁梁吊下工程（Ｓ２）は、図３に示すように、壁梁２を揚重機によって鉄筋群３の上方に吊り上げた後、壁梁２の側面に案内部材１０のガイド部１１を摺接させながら吊り下げて、鉄筋群３の間の落込位置５に壁梁２を落し込む。
【００２４】
この壁梁吊下工程（Ｓ２）における吊り下げ途中において、壁梁２を一時的に鉄筋群３の間で止めて壁梁２の端部に柱筋に定着させる鉄筋を取り付けた後、壁梁２の落込位置５まで吊り下げる。このとき、壁梁落込治具１のガイド部１１の上半面１１ｂによって、壁梁２が鉄筋群３の間に案内されるとともに、案内部材１０、１０をやや垂直方向に立ち上がりながら離間するように水平移動させながら壁梁２を落込位置５まで落し込むものであり、鉄筋群３の動きを最小限に抑制しながら壁梁２を吊り下げて落し込む作業を円滑に行うことが可能である。
【００２５】
上述した壁梁落込方法は、壁梁２を配置する場所に応じて工程（Ｓ１、Ｓ２）を繰り返し行うものである。
【００２６】
したがって、上述した壁梁落込方法によって、壁梁２の落し込み時に複数の作業者が鉄筋群３の位置を調整することなく、櫛状に露出した鉄筋群３の間に壁梁２の落込作業を円滑に行うことができるとともに、露出した鉄筋群３の先端に同時に装着及び取り外しをすることでき、作業者の負担を減らすとともに工期の短縮をすることが可能である。
【００２７】
上記の実施形態では本発明の好ましい実施形態を例示したが、本発明は上記の実施形態に限定されるものではなく、特許請求の範囲に記載した範囲内で改善や変更が可能である。例えば、ガイド部１１の板材体は、亜鉛メッキ銅板等を使用してもよい。
【符号の説明】
【００２８】
１  壁梁落込治具、
１０  案内部材、
１１  ガイド部、１１ａ  下半面、１１ｂ  上半面、Ｗ  横幅、Ｌ  縦幅、
１２  装着部、１２ａ  固定面、１２ｂ  載置面、１２ｃ  対向面、
２  壁梁、２ａ  主筋、２ｂ  フープ筋、
３  鉄筋群、４  作業面、５  落込位置。
【要約】
【課題】  ２列の櫛状に露出した鉄筋群の間に壁梁の吊り下げ落し込む作業を円滑に行うことができるとともに、複数の露出した複数の鉄筋の先端に同時に装着及び取り外しをすることでき、作業者の負担を減らして工期の短縮をすることが可能な壁梁落込治具及びそれを用いた壁梁落込方法を提供する。
【解決手段】  ２列の櫛状に露出した鉄筋群３の先端に装着して使用する一対の案内部材１０、１０を備えてなり、案内部材１０、１０は、壁梁２の両側面に対して摺接する板状のガイド部１１と、ガイド部１１の裏面側に固定され、鉄筋群３の先端に装着する装着部１２と、を有する壁梁落込治具１及びそれを用いた壁梁落込方法。
【選択図】  図１【図１】
0006889956.tif 000002
【図２】
0006889956.tif 000003
【図３】
0006889956.tif 000004